(57)【特許請求の範囲】
【請求項１】
同期データ，制御情報データ及び複数のプログラム情報データを伝送する放送信号を受信する受信部と、
該受信部により受信された放送信号に周波数変換を施して中間周波数信号を得る周波数変換部と、
上記中間周波数信号を増幅する中間周波数増幅部と、
該中間周波数増幅部からの中間周波数信号についてのアナログ／ディジタル変換を行ってディジタル中間周波数信号を得るアナログ／ディジタル変換部と、
上記ディジタル中間周波数信号にディジタル復調処理を施すディジタル復調部と、
該ディジタル復調部から得られる複数のプログラム情報データのうちのいずれかを選択するプログラム選択部と、
該プログラム選択部によって選択されたプログラム情報データに復調処理を施してプログラム情報を再生する情報再生部と、
上記放送信号における上記同期データ及び上記制御情報データさらには上記複数のプログラム情報データのうちの上記プログラム選択部によって選択されるものを伝送する部分が上記受信部によって受信され得る期間以外の期間において、少なくとも上記受信部，周波数変換部及び中間周波数増幅部に低消費電力状態をとらせる動作制御部と、
を備えて構成される放送信号受信装置。
【請求項２】
動作制御部が、放送信号における同期データ及び制御情報データさらには複数のプログラム情報データのうちのプログラム選択部によって選択されるものを伝送する部分が受信部によって受信され得る期間以外の期間において、受信部，周波数変換部及び中間周波数増幅部に加えて、アナログ／ディジタル変換部及びディジタル復調部についても低消費電力状態をとらせることを特徴とする請求項１記載の放送信号受信装置。
【請求項３】
動作制御部が、受信部，周波数変換部及び中間周波数増幅部に低消費電力状態をとらせるとき、該受信部，周波数変換部及び中間周波数増幅部を非動作状態となすことを特徴とする請求項１または２記載の放送信号受信装置。
【請求項４】
動作制御部が、受信部，周波数変換部及び中間周波数増幅部を非動作状態となすとき、該受信部，周波数変換部及び中間周波数増幅部に対する電源を遮断することを特徴とする請求項３記載の放送信号受信装置。
【請求項５】
中間周波数増幅部に自動利得制御信号を供給する自動利得制御部が備えられ、動作制御部が、受信部，周波数変換部及び上記中間周波数増幅部を非動作状態となすとき、上記自動利得制御部に、上記受信部，周波数変換部及び中間周波数増幅部が非動作状態とされる直前における自動利得制御信号を保持する状態をとらせることを特徴とする請求項３または４記載の放送信号受信装置。
【請求項６】
受信部が、受信された放送信号を増幅する高周波数増幅部を含み、自動利得制御部が中間周波数増幅部に加えて上記高周波数増幅部に対しても自動利得制御信号を供給するものとして備えられることを特徴とする請求項５記載の放送信号受信装置。
【請求項７】
動作制御部が、受信部，周波数変換部及び中間周波数増幅部に低消費電力状態をとらせるとき、該受信部，周波数変換部及び中間周波数増幅部に対するバイアス電圧を制御することを特徴とする請求項１または２記載の放送信号受信装置。
【請求項８】
動作制御部が、アナログ／ディジタル変換部及びディジタル復調部に低消費電力状態をとらせるとき、該アナログ／ディジタル変換部及びディジタル復調部を非動作状態となすことを特徴とする請求項２または３記載の放送信号受信装置。
【請求項９】
動作制御部が、アナログ／ディジタル変換部及びディジタル復調部を非動作状態となすとき、該アナログ／ディジタル変換部及びディジタル復調部に対するクロック信号の供給を停止することを特徴とする請求項８記載の放送信号受信装置。
【請求項１０】
ディジタル復調部から得られる同期情報データ及びプログラム構成情報データ及びプログラム選択部から得られる選択プログラム情報データに基づいて、放送信号における同期データ及び制御情報データさらには複数のプログラム情報データのうちのプログラム選択部によって選択されるものを伝送する部分が受信部によって受信され得る期間以外の期間についての検出を行い、該検出の結果に応じて、動作制御部に対して動作タイミングを指示するタイミング信号を送出するタイミング信号発生部が設けられることを特徴とする請求項１から請求項７までのいずれかに記載の放送信号受信装置。
【発明の詳細な説明】
【０００１】
【発明の属する技術分野】
本願の特許請求の範囲に記載された発明は、同期データ，制御情報データ及び複数のプログラム情報データを伝送する放送信号を受信して、受信された放送信号により伝送される複数のプログラム情報データのうちの選択されたものに基づき、所望のプログラム情報を再生することができる放送信号受信装置に関する。
【０００２】
【従来の技術】
通常、“ラジオ放送”と呼ばれることが多い音声放送は、長年の間、音声情報信号を振幅変調（ＡＭ）音声情報信号として送信するＡＭ音声放送，音声情報信号を周波数変調（ＦＭ）音声情報信号として送信するＦＭ音声放送等のアナログ音声放送とされていたが、近年において、音声放送を、そのもとで送受信される音声情報の品質を向上させるべく、音声情報信号をディジタル音声情報信号として送信するディジタル音声放送となすことが提案されている。特に、ヨーロッパ地域にあっては、その一部において、ディジタル音声放送が、ＤＡＢ（Digital Audio Broadcasting) と称されるシステムとして、既に実用化されている。
【０００３】
ディジタル音声放送のもとで送受信される音声情報信号、即ち、ディジタル音声放送信号は、ディジタル音声信号を形成する音声情報データのみならず、それに加えて、例えば、天気予報，交通情報等を内容とするサービス情報データをも伝送し、さらに、受信側において音声情報データに基づくディジタル音声信号あるいはサービス情報データに基づくサービス情報を得るに際して必要とされる制御用情報を内容とする制御情報データを伝送する。そして、ディジタル音声放送信号は、音声情報データ，サービス情報データ，制御情報データ等のディジタルデータが、直交周波数多重変調（Orthogonal Frequency Divison Multi-plexing :ＯＦＤＭ）方式により変調されて得られる変調波信号であり、それにより伝送されるディジタルデータは、伝送フレームと称されるフレーム単位が連なって構成される。
【０００４】
各伝送フレームは、図２のＡ，Ｂ及びＣにおいてその一例が示される如く、例えば、２４ｍｓの時間長を有しており、シンボル０からシンボル７６までの７７シンボルから成るものとされる。シンボル０は、実際には変調波信号が存在しないヌルシンボルとされ、また、シンボル１は、同期用のリファレンスシンボルとされる。ヌルシンボルであるシンボル０は、略３２４μｓの時間長を有し、また、シンボル１〜シンボル７６の夫々は、略３１２μｓの時間長を有したものとされる。
【０００５】
そして、ヌルシンボルであるシンボル０及び同期用のリファレンスシンボルであるシンボル１には同期チャンネルが、シンボル１に続くシンボル２〜シンボル４の３シンボルにはファスト・インフォーメイション・チャンネル（ＦＩＣ）が、さらに、シンボル５〜シンボル７６の７２シンボルにはメイン・サービス・チャンネル（ＭＳＣ）が、夫々割当てられる。そして、同期チャンネルにおいては、シンボル１によって、同期情報データＤＲＳが伝送される。また、ＭＳＣの部分は、コモン・インターリーブドゥ・フレーム（ＣＩＦ）によって構成され、それによって音声情報データ及びサービス情報データが形成する複合データＤＸＤが伝送される。さらにＦＩＣの部分は、複数のファスト・インフォーメイション・ブロック（ＦＩＢ）の連なりによって構成されており、さらに、各ＦＩＢデータフィールドは、複数のファスト・インフォーメイション・グループ（ＦＩＧ）の連なりによって構成されていて、それにより、多重構成情報（ Multi-plex   Configuration information : ＭＣＩ）及びその他の情報等の制御情報データＤＣＤが伝送される。
【０００６】
ＭＳＣによって伝送される複合データＤＸＤを形成する音声情報データ及びサービス情報データの夫々は、複数のプログラム情報データを含むものとされ、例えば、ＭＳＣによって伝送される複合データＤＸＤは、全体でプログラム情報データ１からプログラム情報データＮ＋Ｍ＋２までを含むものとされる。
【０００７】
このような音声情報データ，サービス情報データ，制御情報データ等のディジタルデータが、ＯＦＤＭ方式により変調されて得られる変調波信号であって、それにより伝送されるディジタルデータが伝送フレームが連なって構成されるものとされるディジタル音声放送信号の受信は、ディジタル音声放送信号受信装置が用いられて行われる。
【０００８】
ディジタル音声放送信号受信装置にあっては、ディジタル音声放送を行う各放送局により送信されるディジタル音声放送信号が、選局動作によって選択受信され、受信されたディジタル音声放送信号に対する高周波数（ＲＦ）増幅，周波数変換，中間周波数（ＩＦ）増幅，ディジタル復調，復号化処理等が行われて、音声情報データ，サービス情報データ及び制御情報データが得られ、さらに、音声情報データあるいはサービス情報データについてのプログラム選択，復号化処理等が行われて所望のプログラム情報であるディジタル音声信号あるいはサービスデータが再生される。
【０００９】
【発明が解決しようとする課題】
上述の如くに、ディジタル音声放送信号受信装置によるディジタル音声放送信号の受信が実際に行われる際には、通常、音声情報データあるいはサービス情報データが含む複数のプログラム情報データのうちの一つが選択され、選択されたプログラム情報データに基づいて所望のプログラム情報が再生される。従って、ディジタル音声放送信号受信装置は、伝送される複数のプログラム情報データに基づいて夫々得ることができる複数のプログラム情報のうちの所望のものの再生に要される期間だけ、正常操作状態にあればよいことになるが、実際には、所望のプログラム情報以外の各プログラム情報の再生に要される期間においても正常操作状態におかれている。
【００１０】
それゆえ、ディジタル音声放送信号受信装置は、正常操作状態におかれることが必要とされない、所望のプログラム情報以外の各プログラム情報の再生に要される期間においても、正常操作状態におかれることが必要とされる、所望のプログラム情報の再生に要される期間と同様の電力消費を生じることになる。このことは、ディジタル音声放送信号受信装置の単位時間当たりの電力消費が比較的大であることからして、従来のディジタル音声放送信号受信装置にあっては、携帯型とされて電池による動作電力供給が行われるものとされるにあたっての障害となっている。即ち、従来のディジタル音声放送信号受信装置を携帯型にして、電池による動作電力供給が比較的長時間行われるようにすることが、困難とされているのである。
【００１１】
斯かる点に鑑み、本願の特許請求の範囲に記載された発明は、同期データ，制御情報データ及び複数のプログラム情報データを伝送する放送信号を受信して、受信された放送信号により伝送される複数のプログラム情報データのうちの選択されたものに基づき、所望のプログラム情報を再生することができるもとにあって、消費電力の低減が効果的に図られることになり、携帯型とされて電池による動作電力供給がなされるにあたって有利な放送信号受信装置を提供する。
【００１２】
【課題を解決するための手段】
本願の特許請求の範囲における請求項１から請求項１０までのいずれかに記載された発明に係る放送信号受信装置は、同期データ，制御情報データ及び複数のプログラム情報データを伝送する放送信号を受信する受信部と、受信部により受信された放送信号に周波数変換を施してＩＦ信号を得る周波数変換部と、ＩＦ信号を増幅するＩＦ増幅部と、ＩＦ増幅部からのＩＦ信号についてのアナログ／ディジタル変換を行ってディジタルＩＦ信号を得るアナログ／ディジタル変換部と、ディジタルＩＦ信号にディジタル復調処理を施すディジタル復調部と、ディジタル復調部から得られる複数のプログラム情報データのうちのいずれかを選択するプログラム選択部と、プログラム選択部によって選択されたプログラム情報データに復調処理を施してプログラム情報を再生する情報再生部と、動作制御部とを備え、動作制御部が、放送信号における同期データ及び制御情報データさらには複数のプログラム情報データのうちのプログラム選択部によって選択されるものを伝送する部分が受信部によって受信され得る期間以外の期間において、少なくとも受信部，周波数変換部及びＩＦ増幅部に低消費電力状態をとらせるものとされて、構成される。
【００１３】
特に、本願の特許請求の範囲における請求項５または６に記載された発明に係る放送信号受信装置は、ＩＦ増幅部に自動利得制御信号を供給する自動利得制御部が備えられ、動作制御部が、受信部，周波数変換部及びＩＦ増幅部を非動作状態となすとき、自動利得制御部に、受信部，周波数変換部及びＩＦ増幅部が非動作状態とされる直前における自動利得制御信号を保持する状態をとらせるものとされて、構成される。
【００１４】
このように構成される本願の特許請求の範囲における請求項１から請求項１０までのいずれかに記載された発明に係る放送信号受信装置においては、受信部によって放送信号における同期データ及び制御情報データさらには複数のプログラム情報データのうちのプログラム選択部によって選択されるものを伝送する部分が受信され得る期間以外の期間において、動作制御部による、少なくとも受信部，周波数変換部及びＩＦ増幅部に低消費電力状態をとらせる制御動作が行われる。
【００１５】
そして、本願の特許請求の範囲における請求項１から請求項１０までのいずれかに記載された発明に係る放送信号受信装置の一例にあっては、動作制御部が、放送信号における同期データ及び制御情報データさらには複数のプログラム情報データのうちのプログラム選択部によって選択されるものを伝送する部分が受信部によって受信され得る期間以外の期間において、受信部，周波数変換部及びＩＦ増幅部に加えて、アナログ／ディジタル変換部及びディジタル復調部についても低消費電力状態をとらせる。
【００１６】
動作制御部は、受信部，周波数変換部及びＩＦ増幅部に低消費電力状態をとらせるに際し、例えば、受信部，周波数変換部及びＩＦ増幅部に対する電源を遮断して受信部，周波数変換部及びＩＦ増幅部を非動作状態となす制御、あるいは、受信部，周波数変換部及びＩＦ増幅部に対するバイアス電圧の制御を行う。
【００１７】
さらに、動作制御部は、受信部，周波数変換部及びＩＦ増幅部に加えて、アナログ／ディジタル変換部及びディジタル復調部についても低消費電力状態をとらせるに際し、例えば、アナログ／ディジタル変換部及びディジタル復調部に対するクロック信号の供給を停止して、アナログ／ディジタル変換部及びディジタル復調部を非動作状態となす制御を行う。
【００１８】
その結果、本願の特許請求の範囲における請求項１から請求項１０までのいずれかに記載された発明に係る放送信号受信装置にあっては、少なくとも消費電力を他の部分に比して大とする受信部，周波数変換部及びＩＦ増幅部が、要求される動作に支障を生じることのない期間において低電力消費状態におかれ、それにより、装置全体の電力消費が効果的に低減されるもとにあって、同期データ，制御情報データ及び複数のプログラム情報データを伝送する放送信号を受信して、受信された放送信号により伝送される複数のプログラム情報データのうちの選択されたものに基づき、所望のプログラム情報を再生することができる。
【００１９】
また、特に、本願の特許請求の範囲における請求項５または６に記載された発明に係る放送信号受信装置においては、動作制御部により、受信部，周波数変換部及びＩＦ増幅部が非動作状態とされるとき、ＩＦ増幅部に自動利得制御信号を供給する自動利得制御部が、受信部，周波数変換部及びＩＦ増幅部が非動作状態とされる直前における自動利得制御信号を保持する状態をとるものとされる。さらに、本願の特許請求の範囲における請求項５または６に記載された発明に係る放送信号受信装置の一例においては、受信部が、受信された放送信号を増幅するＲＦ増幅部を含み、自動利得制御部がＩＦ増幅部に加えてＲＦ増幅部に対しても自動利得制御信号を供給するようにされ、斯かるもとで、受信部，周波数変換部及びＩＦ増幅部が非動作状態とされるとき、自動利得制御部が、受信部，周波数変換部及びＩＦ増幅部が非動作状態とされる直前における自動利得制御信号を保持する状態をとるものとされる。
【００２０】
その結果、本願の特許請求の範囲における請求項５または６に記載された発明に係る放送信号受信装置にあっては、動作制御部により非動作状態とされた受信部，周波数変換部及びＩＦ増幅部が再び動作状態とされるとき、ＩＦ増幅部、あるいは、ＩＦ増幅部と受信部に含まれるＲＦ増幅部とに対して、自動利得制御部から受信部，周波数変換部及びＩＦ増幅部が非動作状態とされる直前における自動利得制御信号が供給され、それにより、受信部，周波数変換部及びＩＦ増幅部が直ちに安定動作状態におかれることになる。
【００２１】
【発明の実施の形態】
図１は、本願の特許請求の範囲における請求項１から請求項１０までのいずれかに記載された発明に係る放送信号受信装置の一例を示す。
【００２２】
図１に示される例にあっては、放送局から送信されて、アンテナ１１及び図示が省略された選択同調部を通じて選択されたディジタル音声放送信号ＳＲＦが、ＲＦ増幅部１２に供給される。アンテナ１１及び図示が省略された選択同調部さらにはＲＦ増幅部１２は、ディジタル音声放送信号ＳＲＦを受信する受信部を形成している。
【００２３】
ディジタル音声放送信号ＳＲＦは、同期データ，制御情報データ及び複数のプログラム情報データを伝送する放送信号であり、同期データ，制御情報データ及び複数のプログラム情報データが、ＯＦＤＭ方式により変調されて得られる変調波信号であって、伝送されるディジタルデータが、例えば、前述の図２のＡ，Ｂ及びＣに示される如くの伝送フレームが連なって構成されるものとなされる。従って、ここでは、ディジタル音声放送信号ＳＲＦの詳細についての重複説明は省略される。
【００２４】
受信部に含まれるＲＦ増幅部１２において増幅されたディジタル音声放送信号ＳＲＦは、周波数変換部１３に供給される。周波数変換部１３には、局部発振部１４からの局部発振出力信号ＳＬＯも供給される。局部発振出力信号ＳＬＯは、局部発振部１４に供給されるシステム制御部１５からの選局信号ＣＴＮ及び同期制御部１６からの制御信号ＣＳＹによって、その周波数が制御される。
【００２５】
そして、周波数変換部１３においては、ＲＦ増幅部１２からのディジタル音声放送信号ＳＲＦに対する局部発振部１４からの局部発振出力信号ＳＬＯによる周波数変換が行われ、周波数変換部１３から、予め設定された所定の周波数（ＩＦ）を有したＩＦ信号ＳＩＦが得られる。このＩＦ信号ＳＩＦは、ＩＦ増幅部１７により増幅されて、アナログ／ディジタル（Ａ／Ｄ）変換部１８に供給される。
【００２６】
上述のＲＦ増幅部１２及びＩＦ増幅部１７に関連して、それらに対する自動利得制御（ＡＧＣ）部２９が設けられており、ＩＦ増幅部１７から得られる、Ａ／Ｄ変換部１８に供給されるＩＦ信号ＳＩＦのレベルに応じたレベル検出信号ＳＳＧがＡＧＣ部２９に供給され、ＲＦ増幅部１２及びＩＦ増幅部１７には、ＡＧＣ部２９からのＡＧＣ信号ＣＧＮが供給される。そして、ＲＦ増幅部１２が、ＡＧＣ信号ＣＧＮにより制御される利得をもってディジタル音声放送信号ＳＲＦの増幅を行うとともに、ＩＦ増幅部１７が、ＡＧＣ信号ＣＧＮにより制御される利得をもってＩＦ信号ＳＩＦの増幅を行う。
【００２７】
Ａ／Ｄ変換部１８からは、ＩＦ増幅部１７によって増幅されたＩＦ信号ＳＩＦに対応するディジタルＩＦ信号ＤＩＦが得られ、それが直交復調部１９に供給される。直交復調部１９においては、ディジタルＩＦ信号ＤＩＦに対する直交復調処理が行われ、それにより、一対の直交復調出力であるＩ信号ＤＩとＱ信号ＤＱとが得られる。
【００２８】
直交復調部１９から得られるＩ信号ＤＩとＱ信号ＤＱとは、高速フーリエ変換（ＦＦＴ）差動復調部２０に供給される。ＦＦＴ差動復調部２０においては、Ｉ信号ＤＩ及びＱ信号ＤＱについての時間ドメイン信号から周波数ドメイン信号への変換が行われ、ＦＦＴ差動復調部２０からは、同期チャンネルにより伝送される同期情報をあらわす同期情報データＤＲＳと、ファスト・インフォーメーション・チャンネル（ＦＩＣ）により伝送される制御情報をあらわす制御情報データＤＣＤと、メイン・サービス・チャンネル（ＭＳＣ）により伝送される複数のプログラム情報を含んだ音声情報及びサービス情報を夫々あらわす音声情報データ及びサービス情報データが形成する複合データＤＸＤとが得られる。複合データＤＸＤを形成する音声情報データ及びサービス情報データには、タイム・インターリーブ処理が施されている。
【００２９】
直交復調部１９及びＦＦＴ差動復調部２０は、ＩＦ信号ＳＩＦに基づいてＡ／Ｄ変換部１８から得られるディジタルＩＦ信号ＤＩＦに対してのディジタル復調部を形成している。そして、ＦＦＴ差動復調部２０から得られる同期情報データＤＲＳが同期制御部１６に供給され、制御情報データＤＣＤがビタビ復号部２１に供給され、さらに、ＦＦＴ差動復調部２０から得られる複合データＤＸＤが、プログラム選択部２２に供給される。
【００３０】
プログラム選択部２２には、システム制御部１５からのプログラム選択制御信号ＣＳＰも供給され、プログラム選択部２２においては、プログラム選択制御信号ＣＳＰに応じて、複合データＤＸＤを形成する音声情報データに含まれる複数のプログラム情報データのうちのいずれか、もしくは、複合データＤＸＤを形成するサービス情報データに含まれる複数のプログラム情報データのうちのいずれかを選択するプログラム選択が行われる。複合データＤＸＤを形成する音声情報データに含まれる複数のプログラム情報データ及び複合データＤＸＤを形成するサービス情報データに含まれる複数のプログラム情報データは、各々がタイム・インターリーブ処理が施されたものとされており、プログラム選択部２２から選択されたタイム・インターリーブ処理が施されたプログラム情報データＤＰＤが送出されて、それがタイム・ディインターリーブ部２３に供給される。
【００３１】
タイム・ディインターリーブ部２３においては、プログラム選択部２２を通じて供給される、選択されたタイム・インターリーブ処理が施されたプログラム情報データＤＰＤに対してタイム・ディインターリーブ処理が施される。このタイム・ディインターリーブ処理は、タイム・インターリーブ処理が施されたプログラム情報データＤＰＤが形成する順次連なるインターリーブ完結区分毎に行われる。その際、音声情報データが形成する各インターリーブ完結区分がメモリ部に取り込まれ、その後それが予め設定された所定の態様をもって読み出されることにより、タイム・ディインターリーブ処理が行われる。そして、タイム・ディインターリーブ部２３からは、タイム・ディインターリーブ処理が施されたプログラム情報データＤＰＤ’が得られる。
【００３２】
このようにして、タイム・ディインターリーブ部２３から得られるタイム・ディインターリーブ処理が施されたプログラム情報データＤＰＤ’は、ビタビ復号部２１に供給される。ビタビ復号部２１においては、ＦＦＴ差動復調部２０からの制御情報データＤＣＤ及びタイム・ディインターリーブ部２３からのプログラム情報データＤＰＤ’についての、尤最復号手法によるエラー訂正処理が行われる。そして、ビタビ復号部２１から、エラー訂正処理が施されたプログラム情報データＤＰＤ’が得られてプログラム選別部２４に供給されるとともに、エラー訂正処理がなされた制御情報データＤＣＤが得られてシステム制御部１５に供給される。
【００３３】
プログラム選別部２４からは、ビタビ復号部２１からのエラー訂正処理が施されたプログラム情報データＤＰＤ’に基づく音声プログラムデータＤＡＤもしくはサービスプログラムデータＤＳＤが導出される。
【００３４】
プログラム選別部２４から導出される音声プログラムデータＤＡＤは、高能率復号化部２５に供給される。高能率復号化部２５においては、音声プログラムデータＤＡＤに対する高能率復号化処理が行われて、高能率符号化処理により圧縮されたデータが伸長され、復号化された音声データＤＡが再生される。高能率復号化部２５から得られる復号化された音声データＤＡは、ディジタル／アナログ（Ｄ／Ａ）変換部２６に供給されてアナログ化され、Ｄ／Ａ変換部２６から音声データＤＡに対応する再生音声信号ＳＡが導出される。
【００３５】
また、プログラム選別部２４から導出されるサービスプログラムデータＤＳＤは、復号化部２８に供給される。復号化部２８においては、サービスプログラムデータＤＳＤに対する復号化処理が行われて、復号化部２８からサービスデータＤＳが再生される。
【００３６】
このようなもとで、ビタビ復号部２１，タイム・ディインターリーブ部２３，プログラム選別部２４，高能率復号化部２５及び復号化部２８は、プログラム選択部２２によって選択されたプログラム情報データＤＰＤに復調処理を施してプログラム情報である音声データＤＡもしくはサービスデータＤＳを再生する情報再生部を形成している。
【００３７】
システム制御部１５は、ビタビ復号部２１からの制御情報データＤＣＤがあらわすプログラム構成情報、さらには、入力操作部３０からそれにおける操作に応じて供給される指令信号ＣＸがあらわす指定プログラム情報に基づいて、プログラム選択部２２にそれにより選択されるべきプログラム情報データＤＰＤを選択導出する動作を行わせるためのプログラム選択制御信号ＣＳＰを送出して、それをプログラム選択部２２に供給するとともに、ビタビ復号部２１からの制御情報データＤＣＤに応じて、制御情報データＤＣＤが得られるタイミングをあらわすタイミングデータＤＴＳを形成して、それをタイミング信号発生部３１に供給する。
【００３８】
また、同期制御部１６は、ＦＦＴ差動復調部２０からの同期情報データＤＲＳがあらわす同期情報に応じた制御信号ＣＳＹを形成して、それを局部発振部１４に供給するとともに、ＦＦＴ差動復調部２０からの同期情報データＤＲＳに応じて、同期情報データＤＲＳが得られるタイミングをあらわすタイミングデータＤＳＹを形成して、それをタイミング信号発生部３１に供給する。
【００３９】
さらに、プログラム選択部２２からは、選択されたプログラム情報データＤＰＤが得られるタイミングをあらわすタイミングデータＤＴＰが送出されて、そのタイミングデータＤＴＰがタイミング信号発生部３１に供給される。
【００４０】
システム制御部１５からのタイミングデータＤＴＳ，同期制御部１６からのタイミングデータＤＳＹ及びプログラム選択部２２からのタイミングデータＤＴＰが供給されるタイミング信号発生部３１は、タイミングデータＤＳＹがあらわす同期情報データＤＲＳが得られるタイミング，タイミングデータＤＴＳがあらわす制御情報データＤＣＤが得られるタイミング、及び、タイミングデータＤＴＰがあらわす選択されたプログラム情報データＤＰＤが得られるタイミングに基づいて、アンテナ１１を通じてＲＦ増幅部１２に供給されるディジタル音声放送信号ＳＲＦにおける、同期情報データＤＲＳ及び制御情報データＤＣＤ、さらには、プログラム選択部２２によって選択導出されるプログラム情報データＤＰＤを伝送する部分が、ＲＦ増幅部１２を含んで形成される受信部によって受信され得る期間（以下、“選択データ受信可能期間”という）をあらわすタイミング信号ＳＴＭを形成する。
【００４１】
斯かるタイミング信号発生部３１により形成されるタイミング信号ＳＴＭは、例えば、“選択データ受信可能期間”を高レベルをもってあらわし、“選択データ受信可能期間”以外の期間を低レベルをもってあらわすものとされる。そして、“選択データ受信可能期間は”、ディジタル音声放送信号ＳＲＦにおける制御情報データＤＣＤを伝送する部分とプログラム選択部２２によって選択導出されるプログラム情報データＤＰＤを伝送する部分とが相互隣接している場合には、ＲＦ増幅部１２を含んで形成される受信部によって、ディジタル音声放送信号ＳＲＦにおける同期情報データＤＲＳ，制御情報データＤＣＤ及びプログラム選択部２２により選択導出されるプログラム情報データＤＰＤを伝送する部分が、実際に受信されるに要される期間に比して、若干早く開始するとともに若干遅く終了する期間とされ、また、ディジタル音声放送信号ＳＲＦにおける制御情報データＤＣＤを伝送する部分とプログラム選択部２２によって選択導出されるプログラム情報データＤＰＤを伝送する部分とが相互離隔している場合には、ＲＦ増幅部１２を含んで形成される受信部によって、ディジタル音声放送信号ＳＲＦにおける同期情報データＤＲＳ及び制御情報データＤＣＤを伝送する部分が、実際に受信されるに要される期間に比して、若干早く開始するとともに若干遅く終了する期間と、ＲＦ増幅部１２を含んで形成される受信部によって、ディジタル音声放送信号ＳＲＦにおけるプログラム選択部２２によって選択導出されるプログラム情報データＤＰＤを伝送する部分が、実際に受信されるに要される期間に比して、若干早く開始するとともに若干遅く終了する期間とに分けられる。
【００４２】
このようにして、タイミング信号発生部３１により形成されるタイミング信号ＳＴＭは、動作制御部３２に供給される。そして、動作制御部３２は、タイミング信号ＳＴＭに応じて制御信号ＣＯＡ，ＣＯＢ及びＣＯＰを形成し、制御信号ＣＯＡを、ＲＦ増幅部１２，周波数変換部１３及びＩＦ増幅部１７の夫々に供給し、制御信号ＣＯＢを、Ａ／Ｄ変換部１８，直交復調部１９及びＦＦＴ差動復調部２０の夫々に供給し、制御信号ＣＯＰをＡＧＣ部２９に供給する。
【００４３】
斯かる際、動作制御部３２は、制御信号ＣＯＡを、“選択データ受信可能期間”においては、ＲＦ増幅部１２，周波数変換部１３及びＩＦ増幅部１７に通常動作状態をとらせ、“選択データ受信可能期間”以外の期間においては、ＲＦ増幅部１２，周波数変換部１３及びＩＦ増幅部１７に低電力消費状態をとらせるものとして形成する。また、動作制御部３２は、制御信号ＣＯＢを、“選択データ受信可能期間”においては、Ａ／Ｄ変換部１８，直交復調部１９及びＦＦＴ差動復調部２０に通常動作状態をとらせ、“選択データ受信可能期間”以外の期間においては、Ａ／Ｄ変換部１８，直交復調部１９及びＦＦＴ差動復調部２０に低電力消費状態をとらせるものとして形成する。
【００４４】
動作制御部３２からの制御信号ＣＯＡにより、“選択データ受信可能期間”以外の期間において、ＲＦ増幅部１２，周波数変換部１３及びＩＦ増幅部１７が低電力消費状態をとるものとされるにあたっては、例えば、制御信号ＣＯＡによってＲＦ増幅部１２，周波数変換部１３及びＩＦ増幅部１７に対する電源が遮断され、ＲＦ増幅部１２，周波数変換部１３及びＩＦ増幅部１７が非動作状態とされる。また、動作制御部３２からの制御信号ＣＯＢにより、“選択データ受信可能期間”以外の期間において、Ａ／Ｄ変換部１８，直交復調部１９及びＦＦＴ差動復調部２０が低電力消費状態をとるものとされるにあたっては、例えば、制御信号ＣＯＢによってＡ／Ｄ変換部１８，直交復調部１９及びＦＦＴ差動復調部２０に対するクロック信号の供給が停止されて、Ａ／Ｄ変換部１８，直交復調部１９及びＦＦＴ差動復調部２０が非動作状態とされる。
【００４５】
さらに、動作制御部３２は、制御信号ＣＯＰを、“選択データ受信可能期間”においては、ＡＧＣ部２９に、ＩＦ増幅部１７からのレベル検出信号ＳＳＧに応じて変化するＡＧＣ信号ＣＧＮを形成し、それをＲＦ増幅部１２及びＩＦ増幅部１７に供給する動作状態をとらせ、“選択データ受信可能期間”以外の期間においては、ＡＧＣ部２９に、ＲＦ増幅部１２，周波数変換部１３及びＩＦ増幅部１７が非動作状態とされる直前におけるＡＧＣ信号ＣＧＮを保持する状態をとらせるものとして形成する。
【００４６】
動作制御部３２によるこのような制御動作が行われるもとにあっては、例えば、図２のＣに示される如く、ディジタル音声放送信号ＳＲＦにより同期情報データＤＲＳ，制御情報データＤＣＤ及び複数のプログラム情報データを含んだ複合データＤＸＤが伝送されるもとにおいて、プログラム選択部２２によって選択導出されるプログラム情報データＤＰＤがプログラム情報データＮ＋Ｍとされるとき、ＲＦ増幅部１２，周波数変換部１３及びＩＦ増幅部１７、さらには、Ａ／Ｄ変換部１８，直交復調部１９及びＦＦＴ差動復調部２０の夫々は、図２のＤに示される如く、ディジタル音声放送信号ＳＲＦにおける同期情報データＤＲＳ及び制御情報データＤＣＤを伝送する部分が実際に受信されるに要される期間に比して、若干早く開始するとともに若干遅く終了する期間Ｔａと、ディジタル音声放送信号ＳＲＦにおけるプログラム情報データＮ＋Ｍを伝送する部分が実際に受信されるに要される期間に比して、若干早く開始するとともに若干遅く終了する期間Ｔｂとにおいて、即ち、“選択データ受信可能期間”において、通常動作状態におかれ、期間Ｔａ及び期間Ｔｂ以外の期間、即ち、“選択データ受信可能期間”以外の期間において、非動作状態におかれる。
【００４７】
また、このとき、ＡＧＣ部２９は、図２のＥに示される如く、期間Ｔａ及び期間Ｔｂにおいて、即ち、“選択データ受信可能期間”において、ＡＧＣ信号ＣＧＮをＩＦ増幅部１７からのレベル検出信号ＳＳＧに応じて変化させる制御状態におかれ、期間Ｔａ及び期間Ｔｂ以外の期間、即ち、“選択データ受信可能期間”以外の期間において、ＲＦ増幅部１２，周波数変換部１３及びＩＦ増幅部１７が非動作状態とされる直前におけるＡＧＣ信号ＣＧＮを保持する直前値保持状態におかれる。
【００４８】
その結果、図１に示される例にあっては、“選択データ受信可能期間”においては通常動作が行われて、所望の選択されたプログラム情報が適正に再生されるもとで、“選択データ受信可能期間”以外の期間において、例えば、各々におけれる通常動作時の電力消費が他の部分に比して大とされるＲＦ増幅部１２，周波数変換部１３及びＩＦ増幅部１７、さらには、Ａ／Ｄ変換部１８，直交復調部１９及びＦＦＴ差動復調部２０の夫々が、低電力消費状態におかれることになり、その結果、装置全体の消費電力の低減が効果的に図られる。
【００４９】
また、ＲＦ増幅部１２，周波数変換部１３及びＩＦ増幅部１７、さらには、Ａ／Ｄ変換部１８，直交復調部１９及びＦＦＴ差動復調部２０の夫々は、“選択データ受信可能期間”以外の期間において、例えば、非動作状態とされることによって低電力消費状態におかれるが、“選択データ受信可能期間”以外の期間においては、ＡＧＣ部２９が、ＲＦ増幅部１２，周波数変換部１３及びＩＦ増幅部１７が非動作状態とされる直前におけるＡＧＣ信号ＣＧＮを保持するようにされるので、その後の“選択データ受信可能期間”において、ＲＦ増幅部１２，周波数変換部１３及びＩＦ増幅部１７、さらには、Ａ／Ｄ変換部１８，直交復調部１９及びＦＦＴ差動復調部２０の夫々が再び動作状態におかれるとき、ＲＦ増幅部１２及びＩＦ増幅部１７には、ＡＧＣ部２９から、非動作状態とされる直前におけるＡＧＣ信号ＣＧＮが供給されることになり、その結果、直ちに安定な動作を行うことができるものとされる。
【００５０】
上述の例にあっては、“選択データ受信可能期間”以外の期間において、ＲＦ増幅部１２，周波数変換部１３及びＩＦ増幅部１７、さらには、Ａ／Ｄ変換部１８，直交復調部１９及びＦＦＴ差動復調部２０の夫々が、非動作状態とされることによって、低電力消費状態におかれているが、“選択データ受信可能期間”以外の期間において、ＲＦ増幅部１２，周波数変換部１３及びＩＦ増幅部１７、さらには、Ａ／Ｄ変換部１８，直交復調部１９及びＦＦＴ差動復調部２０の夫々が、非動作状態とされることなく、例えば、動作制御部３２からの制御信号ＣＯＡ及びＣＯＢによってバイアス電圧が制御されることにより、低電力消費状態におかれるようにされてもよい。
【００５１】
また、上述の例にあっては、“選択データ受信可能期間”以外の期間において、ＲＦ増幅部１２，周波数変換部１３及びＩＦ増幅部１７、さらには、Ａ／Ｄ変換部１８，直交復調部１９及びＦＦＴ差動復調部２０の夫々が、低電力消費状態におかれているが、“選択データ受信可能期間”以外の期間において、ＲＦ増幅部１２，周波数変換部１３，ＩＦ増幅部１７，Ａ／Ｄ変換部１８，直交復調部１９及びＦＦＴ差動復調部２０の全部が低電力消費状態におかれることは必ずしも必要でなく、例えば、“選択データ受信可能期間”以外の期間において、ＲＦ増幅部１２，周波数変換部１３及びＩＦ増幅部１７のみが低電力消費状態におかれるようにされてもよい。
【００５２】
【発明の効果】
以上の説明から明らかな如く、本願の特許請求の範囲における請求項１から請求項１０までのいずれかに記載された発明に係る放送信号受信装置によれば、少なくとも電力消費を他の部分に比して大とする受信部，周波数変換部及びＩＦ増幅部が、要求される動作に支障を生じることのない期間において低電力消費状態におかれ、それにより、装置全体の電力消費が効果的に低減されるもとにあって、同期データ，制御情報データ及び複数のプログラム情報データを伝送する放送信号を受信して、受信された放送信号により伝送される複数のプログラム情報データのうちの選択されたものに基づき、所望のプログラム情報を再生することができる。
【００５３】
また、特に、本願の特許請求の範囲における請求項５または６に記載された発明に係る放送信号受信装置によれば、動作制御部により、受信部，周波数変換部及びＩＦ増幅部が非動作状態とされるとき、ＩＦ増幅部に自動利得制御信号を供給する自動利得制御部が、受信部，周波数変換部及びＩＦ増幅部が非動作状態とされる直前における自動利得制御信号を保持する状態をとるものとされ、さらに、必要に応じて、自動利得制御部が、ＩＦ増幅部に加えて、受信部に含まれるＲＦ増幅部に対しても、自動利得制御信号を供給するようにされ、斯かるもとで、受信部，周波数変換部及びＩＦ増幅部が非動作状態とされるとき、自動利得制御部が、受信部，周波数変換部及びＩＦ増幅部が非動作状態とされる直前における自動利得制御信号を保持する状態をとるものとされる。
【００５４】
その結果、動作制御部により非動作状態とされた受信部，周波数変換部及びＩＦ増幅部が再び動作状態とされるとき、ＩＦ増幅部、あるいは、ＩＦ増幅部と受信部に含まれるＲＦ増幅部とに対して、自動利得制御部から受信部，周波数変換部及びＩＦ増幅部が非動作状態とされる直前における自動利得制御信号が供給され、それにより、受信部，周波数変換部及びＩＦ増幅部が直ちに安定動作状態をとることができることになる。
【００５５】
このように、本願の特許請求の範囲における請求項１から請求項１０までのいずれかに記載された発明に係る放送信号受信装置は、同期データ，制御情報データ及び複数のプログラム情報データを伝送する放送信号を受信して、受信された放送信号により伝送される複数のプログラム情報データのうちの選択されたものに基づき、所望のプログラム情報を再生することができるもとにあって、消費電力の低減が効果的に図られることになるものであり、携帯型とされて電池による動作電力供給がなされるにあたって極めて有利である。
【図面の簡単な説明】
【図１】  本願の特許請求の範囲における請求項１から請求項１０までのいずれかに記載された発明に係る放送信号受信装置の一例を示すブロック構成図である。
【図２】  図１に示される例の動作説明に供されるタイムチャートである。
【符号の説明】
１１・・・アンテナ，１２・・・ＲＦ増幅部，１３・・・周波数変換部，１４・・・局部発振部，１５・・・システム制御部，１６・・・同期制御部，１７・・・ＩＦ増幅部，１８・・・Ａ／Ｄ変換部，１９・・・直交復調部，２０・・・ＦＦＴ差動復調部，２１・・・ビタビ復号部，２２・・・プログラム選択部，２３・・・タイム・ディインターリーブ部，２４・・・プログラム選別部，２５・・・高能率復号化部，２６・・・Ｄ／Ａ変換部，２８・・・復号化部，２９・・・ＡＧＣ部，３０・・・入力操作部，３１・・・タイミング信号発生部，３２・・・動作制御部
【図１】
0003899675.tif 000002
【図２】
0003899675.tif 000003